(57)【要約】      （修正有）【課題】睡眠者の歯ぎしりを高精度に検知することができる検知装置を提供する。【解決手段】歯ぎしり検知装置２０は、睡眠者１５の頭部１６から発生する振動を検知する振動検知部２１と、検知した振動から睡眠者１５の歯ぎしりの有無を判定する歯ぎしり判定部３１とを備えている。【選択図】図１
2016101349.tif 000002
【特許請求の範囲】
【請求項１】
睡眠者（15）の頭部（16）から発生する振動を検知する振動検知部（21）と、
上記振動から上記睡眠者（15）の歯ぎしりの有無を判定する歯ぎしり判定部（31）とを備えている
ことを特徴とする歯ぎしり検知装置。
【請求項２】
請求項１において、
上記振動検知部（21）は、上記睡眠者（15）の頭部（16）から発生する振動に応じて内圧が変化する感圧チューブ（22）と、該感圧チューブ（22）の内圧の変化を検知する受圧部（23）とを有している
ことを特徴とする歯ぎしり検知装置。
【請求項３】
請求項１または２において、
上記歯ぎしり判定部（31）は、上記振動のパワースペクトルを算出して、算出した該パワースペクトルに基づいて上記睡眠者（15）の歯ぎしりの有無を判定する
ことを特徴とする歯ぎしり検知装置。
【請求項４】
請求項１〜３のいずれか１項において、
上記振動検知部（21）は、上記睡眠者（15）の頭部（16）の下側に配置されている
ことを特徴とする歯ぎしり検知装置。
【請求項５】
請求項４において、
上記振動検知部（21）は、上記睡眠者（15）の頭部（16）を支える枕（11）の内部に設けられている
ことを特徴とする歯ぎしり検知装置。
【請求項６】
請求項４において、
上記振動検知部（21）は、上記睡眠者（15）の頭部（16）を支える枕（11）の下に設けられている
ことを特徴とする歯ぎしり検知装置。
【発明の詳細な説明】
【技術分野】
【０００１】
本発明は、歯ぎしり検知装置に関するものである。
【背景技術】
【０００２】
従来より、睡眠者の生体情報に基づいて睡眠者の歯ぎしりを検知することが知られている。例えば、特許文献１には、マイクロフォンにより睡眠者の発生する音を検出および分析することにより、睡眠者の歯ぎしりを検知することが記載されている。
【先行技術文献】
【特許文献】
【０００３】
【特許文献１】特開２００８−０００２２２号公報
【発明の概要】
【発明が解決しようとする課題】
【０００４】
しかしながら、マイクロフォンにより睡眠者の発生する音を検出しようとする場合、周囲の騒音等の影響のために検出精度が悪化するおそれがある。睡眠者の発生する音の検出精度が悪化すると、検出した音情報から歯ぎしりを検知しようとしても、その音情報の精度が低いために歯ぎしり検知の精度も低くならざるを得ない。
【０００５】
本発明は、かかる点に鑑みてなされたものであり、その目的は、睡眠者の歯ぎしりを高精度に検知することにある。
【課題を解決するための手段】
【０００６】
第１の発明は、歯ぎしり検知装置（20）を対象とする。そして、歯ぎしり検知装置（20）は、睡眠者（15）の頭部（16）から発生する振動を検知する振動検知部（21）と、上記振動から上記睡眠者（15）の歯ぎしりの有無を判定する歯ぎしり判定部（31）とを備えている。
【０００７】
上記第１の発明では、睡眠者（15）の頭部（16）から発生する振動を検知して、その検知した振動から睡眠者（15）の歯ぎしりの有無を判定する。頭部（16）から発生する振動を検知する際には、周囲で騒音が生じていたとしても、その騒音が検知結果に与える影響は小さい。このため、睡眠者（15）の周囲で騒音が生じていたとしても、睡眠者（15）の頭部（16）から発生する振動が高精度に検知される。そして、高精度に検知された当該振動から睡眠者（15）の歯ぎしりが検知されるので、睡眠者（15）の歯ぎしりも高精度に検知される。
【０００８】
ここで、睡眠者（15）の発生させた歯ぎしりの音をマイクロフォンで記録する場合は、例えば寝言などの歯ぎしり以外の音も記録されるため、プライバシー保護の点で問題が生じるおそれがある。これに対し、上記第１の発明では、睡眠者（15）の歯ぎしりの音そのものではなく、歯ぎしりによって生じる睡眠者（15）の頭部（16）の振動を検知し、検知した振動に基づいて睡眠者（15）の歯ぎしりの有無を判定している。このため、この発明では、音そのものを記録する場合とは異なり、プライバシー保護に関する問題が生じる可能性は殆ど無い。
【０００９】
第２の発明は、上記第１の発明において、上記振動検知部（21）は、上記睡眠者（15）の頭部（16）から発生する振動に応じて内圧が変化する感圧チューブ（22）と、該感圧チューブ（22）の内圧の変化を検知する受圧部（23）とを有していることを特徴とする。
【００１０】
上記第２の発明では、睡眠者（15）の頭部（16）から発生する振動に起因して感圧チューブ（22）の内圧が変化し、この感圧チューブ（22）の内圧の変化を受圧部（23）が検知する。感圧チューブ（22）の内圧は、睡眠者（15）の頭部（16）から発生する振動に応じて変化するが、周囲の騒音によっては実質的に変化しない。このため、周囲の騒音により歯ぎしり検知の精度が悪化することが確実に防止される。
【００１１】
第３の発明は、上記第１または第２の発明において、上記歯ぎしり判定部（31）は、上記振動のパワースペクトルを算出して、算出した該パワースペクトルに基づいて上記睡眠者（15）の歯ぎしりの有無を判定することを特徴とする。
【００１２】
上記第３の発明では、睡眠者（15）の頭部（16）から発生する振動のパワースペクトルに基づいて睡眠者（15）の歯ぎしりの有無を判定する。このため、例えば振動の発生頻度等に基づいて歯ぎしりを検知する場合に比べて、睡眠者（15）の歯ぎしりがより確実に検知される。
【００１３】
第４の発明は、上記第１〜第３の発明のいずれか１つにおいて、上記振動検知部（21）は、上記睡眠者（15）の頭部（16）の下側に配置されていることを特徴とする。
【００１４】
上記第４の発明では、振動検知部（21）が睡眠者（15）の頭部（16）の近くにあるので、睡眠者（15）の頭部（16）から発生する振動が振動検知部（21）に伝わるまでにあまり減衰しない。このため、睡眠者（15）の頭部（16）から発生する振動、ひいては睡眠者（15）の歯ぎしりをより高精度に検知することができる。
【００１５】
第５の発明は、上記第４の発明において、上記振動検知部（21）は、上記睡眠者（15）の頭部（16）を支える枕（11）の内部に設けられていることを特徴とする。
【００１６】
上記第５の発明では、睡眠者（15）の頭部（16）が載る枕（11）の内部に、振動検知部（21）が設けられる。このため、睡眠者（15）の頭部（16）から発生する振動が、振動検知部（21）に確実に伝わって検知される。
【００１７】
第６の発明は、上記第４の発明において、上記振動検知部（21）は、上記睡眠者（15）の頭部（16）を支える枕（11）の下に設けられていることを特徴とする。
【００１８】
上記第６の発明では、睡眠者（15）の頭部（16）が載る枕（11）の下に、振動検知部（21）が設けられる。つまり、睡眠者（15）の頭部（16）の近くに振動検知部（21）が設置される。このため、睡眠者（15）の頭部（16）から発生する振動が、振動検知部（21）に確実に伝わって検知される。
【発明の効果】
【００１９】
本発明では、睡眠者（15）の歯ぎしりの音ではなく、睡眠者（15）の頭部（16）から発生する振動を検知し、その検知した振動から睡眠者（15）の歯ぎしりの有無を判定する。このため、睡眠者（15）の周囲で騒音が生じていたとしても、睡眠者（15）の歯ぎしりを高精度に検知することができる。また、歯ぎしりの音以外の音も含む睡眠者（15）の周囲の音を記録する場合に懸念されるプライバシーの問題について、その発生を未然に防ぐことができる。
【００２０】
また、上記第２の発明では、睡眠者（15）の頭部（16）から発生する振動に応じて変化する感圧チューブ（22）の内圧を、受圧部（23）で検知している。このため、睡眠者（15）の頭部（16）から発生する振動を、簡素な構造の感圧チューブ（22）を用いて確実に検知できる。
【００２１】
また、上記第３の発明では、睡眠者（15）の頭部（16）から発生する振動のパワースペクトルに基づいて睡眠者（15）の歯ぎしりの有無を判定している。このため、例えば振動の発生頻度等に基づいて歯ぎしりを検知する場合に比べて、睡眠者（15）の歯ぎしりをより確実に検知することができる。
【００２２】
また、上記第４〜第６の発明によれば、振動検知部（21）を睡眠者（15）の頭部（16）の近くに配置することができ、睡眠者（15）の歯ぎしりに起因する頭部（16）の振動を、より高精度に検知することができる。
【図面の簡単な説明】
【００２３】
【図１】図１は、本発明の実施形態に係る歯ぎしり検知装置と寝具とを示す概略図である。
【図２】図２は、感圧チューブの配置について示す側面図である。
【図３】図３は、睡眠者の歯ぎしりを検知する方法を説明するためのフローチャートである。
【図４】図４は、その他の実施形態に係る感圧チューブの配置について示す側面図である。
【図５】図５は、その他の実施形態に係る感圧チューブの配置について示す側面図である。
【発明を実施するための形態】
【００２４】
本発明の実施形態を図面に基づいて詳細に説明する。なお、以下の実施形態は、本質的に好ましい例示であって、本発明、その適用物、あるいはその用途の範囲を制限することを意図するものではない。
【００２５】
図１は、実施形態に係る歯ぎしり検知装置（20）の構成を示す概略図である。同図に示すように、歯ぎしり検知装置（20）は、例えば布団やベッド等の寝具（10）と共に用いるものであって、振動検知部（21）と、信号処理ユニット（30）とを備えている。なお、この説明では、睡眠者（15）から見た左右方向を「左右方向」とし、鉛直方向の上下方向（睡眠者（15）から見た上下方向とは異なる）を「上下方向」とする。
【００２６】
−振動検知部−
振動検知部（21）は、睡眠者（15）の頭部（16）から発生する振動を検知するものであって、感圧チューブ（22）と、受圧部（23）とを有している。
【００２７】
〈感圧チューブ〉
感圧チューブ（22）は、チューブ状に形成されていて、睡眠者（15）の頭部（16）から発生する振動に応じて内圧が変化する。具体的に、感圧チューブ（22）は、内径が約４ｍｍの樹脂製（例えば、塩化ビニル製）のチューブによって構成され、その一端が開放され、その他端が受圧部（23）に接続されている。このように構成することにより、睡眠者（15）の頭部（16）から発生する振動に伴う圧力が感圧チューブ（22）に作用すると、感圧チューブ（22）の内圧が変化する。なお、感圧チューブ（22）の一端は閉塞されていてもよい。
【００２８】
感圧チューブ（22）は、睡眠者（15）の頭部（16）を支える枕（11）の内部に設けられている（図２を参照）。つまり、感圧チューブ（22）は、睡眠者（15）の頭部（16）の下側に配置されている。また、感圧チューブ（22）は、睡眠者（15）の左右方向に沿って、枕（11）の一端から他端まで延びるように設けられている。このため、睡眠者（15）が寝返り等により左右方向に移動した場合にも、睡眠者（15）の頭部（16）の床側に感圧チューブ（22）が位置することとなり、睡眠者（15）の頭部（16）から発生する振動が感圧チューブ（22）に効率的に伝わる。
【００２９】
〈受圧部〉
受圧部（23）は、感圧チューブ（22）の内圧の変化を検知して、感圧チューブ（22）の内圧の変化に応じたセンサ信号を出力する。具体的に、受圧部（23）は、感圧チューブ（22）の他端に接続されていて、感圧チューブ（22）の内圧の変化をセンサ信号（電気信号）に変換する。受圧部（23）は、例えばマイクロフォンにより構成されている。センサ信号は、歯ぎしり判定部（31）に送られる。
【００３０】
−信号処理ユニット−
信号処理ユニット（30）は、歯ぎしり判定部（31）と、記録部（32）とを備えている。信号処理ユニット（30）は、受圧部（23）と電気的に接続され、受圧部（23）の出力信号を受信する。
【００３１】
なお、信号処理ユニット（30）は、後述する記録部（32）に記録された情報を表示する液晶パネル等の表示部を備えていてもよい。また、信号処理ユニット（30）は、記録部（32）に記録された情報をパソコン等の外部機器へ出力する出力ポートを備えていてもよい。
【００３２】
〈歯ぎしり判定部〉
歯ぎしり判定部（31）は、受圧部（23）からのセンサ信号を処理することにより、睡眠者（15）の歯ぎしりの有無を判定するように構成されている。つまり、歯ぎしり判定部（31）は、睡眠者（15）の頭部（16）から発生する振動から睡眠者（15）の歯ぎしりの有無を判定する。例えば、歯ぎしり判定部（31）は、ＣＰＵやメモリ（ＣＰＵを動作させるためのプログラムを格納するメモリ）等によって構成されている。なお、歯ぎしり判定部（31）による動作について、詳しくは後述する。
【００３３】
〈記録部〉
記録部（32）は、メモリ等で構成されており、歯ぎしり判定部（31）が睡眠者（15）は歯ぎしりをしていると判定したとき、すなわち睡眠者（15）の歯ぎしりを検知したときに、歯ぎしりを検知した旨の情報を、検知した時刻等の情報と共に記録する。これにより、睡眠者（15）は、自身が睡眠中に歯ぎしりをしていたか否かを目が覚めた後に確認することができる。
【００３４】
−歯ぎしり判定部および記録部の動作−
次に、歯ぎしり判定部（31）および記録部（32）の動作について図３を参照して説明する。同図は、睡眠者の歯ぎしりを検知する方法を説明するためのフローチャートである。
【００３５】
歯ぎしり判定部（31）および記録部（32）は、睡眠者（15）が眠っている間、ステップＳ１〜Ｓ５を繰り返し実行する。
【００３６】
まず、ステップＳ１では、歯ぎしり判定部（31）は、受圧部（23）からのセンサ信号を収集する。このとき、歯ぎしり判定部（31）は、受圧部（23）からのセンサ信号を所定の周期でサンプリングして、それによって感圧チューブ（22）の内圧の時系列データを得る。
【００３７】
ステップＳ２では、歯ぎしり判定部（31）は、受圧部（23）からのセンサ信号をローバスフィルタ処理することにより、低周波の信号を抽出する。ローパスフィルタのカットオフ周波数は、例えば、６．３ｋＨｚ以下の信号を抽出することができるように設定される。なお、以下では、抽出した低周波の信号を「抽出信号」という。
【００３８】
ステップＳ３では、歯ぎしり判定部（31）は、抽出信号に基づいて、睡眠者（15）の頭部（16）から発生する振動のパワースペクトルを算出する。具体的に、歯ぎしり判定部（31）は、所定の周期でサンプリングされた時系列データである抽出信号のパワーを算出し、そのパワーの波形を周波数分析することによってパワースペクトルを得る。
【００３９】
ステップＳ４では、歯ぎしり判定部（31）は、算出したパワースペクトルに基づいて睡眠者（15）の歯ぎしりの有無を判定する。ここで、睡眠者（15）の頭部（16）から発生する振動に歯ぎしりに起因する成分が含まれている場合、その振動のパワースペクトルでは、２ｋＨｚ以下の領域に１つのピークが存在し、かつ３〜６．３ｋＨｚの領域に複数のピークが存在することが知られている。
【００４０】
そこで、ステップＳ４において、歯ぎしり判定部（31）は、算出したパワースペクトルにおいて、２ｋＨｚ以下の領域に１つのピークが存在し、かつ３〜６．３ｋＨｚの領域に複数のピークが存在している場合に、睡眠者（15）が歯ぎしりをしているものと判定する。睡眠者（15）が歯ぎしりをしているものと判定された場合、ステップＳ６に進み、その他の場合、一連の処理を終了して再びステップＳ１に戻る。
【００４１】
ステップＳ５では、記録部（32）が、睡眠者（15）が歯ぎしりをした旨をその時刻等と共に記録する。そして、一連の処理を終了して再びステップＳ１に戻る。
【００４２】
−実施形態の効果−
本実施形態の歯ぎしり検知装置（20）では、睡眠者（15）の頭部（16）から発生する振動を感圧チューブ（22）により検知して、その検知した振動から睡眠者（15）の歯ぎしりの有無を判定する。当該振動は、睡眠者（15）の頭部（16）から枕（11）を介して感圧チューブ（22）に伝わるので、音波を検知する場合とは違って、周囲で騒音が生じていたとしても振動の検知結果は影響を受けない。このため、周囲で騒音が生じていたとしても、睡眠者（15）の頭部（16）から発生する振動が高精度に検知される。そして、高精度に検知された当該振動から睡眠者（15）の歯ぎしりを検知するので、睡眠者（15）の歯ぎしりを高精度に検知することができる。
【００４３】
また、本実施形態の歯ぎしり検知装置（20）は、睡眠者（15）の歯ぎしりの音そのものではなく、歯ぎしりに起因する頭部（16）の振動に基づいて、歯ぎしりの有無を判定している。従って、本実施形態によれば、歯ぎしりの音以外の音も含む睡眠者（15）の周囲の音を記録する場合に懸念されるプライバシーの問題について、その発生を未然に防ぐことができる。
【００４４】
また、感圧チューブ（22）の内圧は、睡眠者（15）の頭部（16）から発生する振動に応じて変化するが、周囲の騒音によっては実質的に変化しない。このため、周囲の騒音により歯ぎしり検知の精度が悪化することを確実に防止することができる。
【００４５】
また、睡眠者（15）の頭部（16）から発生する振動のパワースペクトルに基づいて睡眠者（15）の歯ぎしりの有無を判定する。このため、例えば振動の発生頻度等に基づいて歯ぎしりを検知する場合に比べて、睡眠者（15）の歯ぎしりをより確実に検知することができる。
【００４６】
また、振動検知部（21）の感圧チューブ（22）を、睡眠者（15）の頭部（16）を支える枕（11）に設けている。このため、感圧チューブ（22）が睡眠者（15）の頭部（16）の近くにあり、睡眠者（15）の頭部（16）から発生する振動が感圧チューブ（22）に伝わるまでにあまり減衰しない。したがって、睡眠者（15）の頭部（16）から発生する振動、ひいては睡眠者（15）の歯ぎしりをより高精度に検知することができる。
【００４７】
《その他の実施形態》
上記実施形態については、以下のような構成としてもよい。
【００４８】
例えば、感圧チューブ（22）は、図４に示すように、睡眠者（15）の頭部（16）を支える枕（11）の下に設けられていてもよいし、図５に示すように、睡眠者（15）の体の下に設けられていてもよい。これらの場合、睡眠者（15）が寝返り等で左右に移動したときにも睡眠者（15）の頭部（16）から発生する振動を検知できるように、睡眠者（15）の左右方向に沿って延びるように感圧チューブ（22）を設けることが好ましい。
【００４９】
また、例えば、振動検知部（21）や歯ぎしり判定部（31）を枕に一体的に組み込むことにより、歯ぎしり検知枕を構成してもよい。
【００５０】
また、歯ぎしり判定部（31）は、受圧部（23）からのセンサ信号をローバスフィルタ処理しなくてもよい。
【００５１】
また、歯ぎしり検知装置（20）は、必ずしも寝具（10）と共に用いなくてもよく、例えば、クッションやソファ等、睡眠者（15）の頭部（16）から発生する振動が伝わる任意のものと共に用いてもよい。
【産業上の利用可能性】
【００５２】
以上説明したように、本発明は、歯ぎしり検知装置について有用である。
【符号の説明】
【００５３】
11  枕
20  歯ぎしり検知装置
21  振動検知部
22  感圧チューブ
23  受圧部
24  歯ぎしり判定部
【図１】
2016101349.tif 000003
【図２】
2016101349.tif 000004
【図３】
2016101349.tif 000005
【図４】
2016101349.tif 000006
【図５】
2016101349.tif 000007